(57)【要約】【課題】１種類の基盤体で、多くの設置条件に対応することにより、生産性や設置現場の対応力の高かい洗い場を提供することを目的とする。【解決手段】略全面が平坦面からなる基盤体５と、基盤体５に設置した排水マス７と、基盤体５の表面の一部または全面に配設した載置部材８を備え、前記載置部材８の表面に前記排水マス７に連通する流れ勾配を有する構成とすることにより、１種類の基盤体５に載置部材８を変えることにより、各種の設置条件や使用条件に対応することが可能となり、しかも生産性もよく経済的で使用勝手の良い洗い場を提供することができる。【選択図】図１
2006009337.tif 000002
【特許請求の範囲】
【請求項１】
略全面が平坦面からなる基盤体と、前記基盤体に設置した排水マスと、前記基盤体の表面の一部または全面に配設した載置部材を備え、前記載置部材の表面に前記排水マスに連通する流れ勾配を有する浴室用洗い場。
【請求項２】
前記排水マスは前記基盤体の複数の位置に設置可能な構成の請求項１に記載の浴室用洗い場。
【請求項３】
前記載置部材は着脱自在に設置した請求項１または２に記載の浴室用洗い場。  
【請求項４】
前記載置部材は複数に分割した構成の請求項１〜３のいずれか１項に記載の浴室用洗い場。
【請求項５】
前記載置部材の分割した平面形状が、排水マスの平面形状と略同形状の請求項４に記載の浴室用洗い場。
【請求項６】
基盤体の内部、基盤体の裏面、載置部材の内部、載置部材の裏面、基盤体と載置部材の間のいずれかに加熱手段を設けた請求項１〜５のいずれか１項に記載の浴室用洗い場。
【発明の詳細な説明】
【技術分野】
【０００１】
本発明は、主に住宅で使用する浴室用洗い場に関するものである。
【背景技術】
【０００２】
従来、この種の浴室用洗い場は、防水パンの洗い場の側端部に排水用の目皿を設け、洗い場のほぼ全面に目皿に向けた排水勾配を設け、洗い場の上面に嵩上げパンを載置した構成とし、入浴中に使用した水は嵩上げパンから防水パンの洗い場に流下し、洗い場の流れ勾配に沿って目皿に集合し排水される（特許文献１参照）。
【０００３】
図９は、特許文献１に記載された浴室用洗い場を示すものである。図９（ａ）に示すように防水パン１の洗い場２の側端部に排水用の目皿３が設置されており、図９（ｂ）に示す洗い場２と略同サイズ嵩上げパン４を、図９（ｃ）に示すように洗い場２の上面に載置した構成である。
【特許文献１】特開平５−３３３７２号公報
【発明の開示】
【発明が解決しようとする課題】
【０００４】
しかしながら、前記従来の構成では、防水パンに設けられる目皿の位置は１カ所に決まっているため、浴室の設置場所、また浴室の入口の設置場所等の各種の設置条件に最適な目皿の位置に対応するためには、目皿の位置が異なる複数の防水パンを準備する必要があり、生産面や設置現場での対応力で課題を有していた。
【０００５】
本発明は、前記従来の課題を解決するもので、１種類の基盤体で、多くの設置条件に対応することにより、生産面や設置現場の対応力の高かい洗い場を提供することを目的とする。
【課題を解決するための手段】
【０００６】
前記従来の課題を解決するために、本発明の洗い場は、略全面が平坦面からなる基盤体と、前記基盤体に設置した排水マスと、前記基盤体の表面の一部または全面に配設した載置部材を備え、前記載置部材の表面に前記排水マスに連通する流れ勾配を有する構成としたものである。
【０００７】
これによって、洗い場の構造物としての基本機能を平坦面からなる基盤体で実現し、洗い場表面の勾配による水流れや清掃性などの使い勝手の機能を載置部材で実現することが可能となり、１種類の基盤体に載置部材を変えることにより、各種の設置条件や使用条件に対応することが可能となり、しかも生産性もよく経済的で使用勝手の良い洗い場を提供することができる。
【発明の効果】
【０００８】
本発明の浴室用洗い場は、少ない種類の部材で多くの設置条件や使用条件に対応でき、しかも生産性が高く、使い勝手のよい洗い場を安価に提供することができる。
【発明を実施するための最良の形態】
【０００９】
第１の発明は、略全面が平坦面からなる基盤体と、前記基盤体に設置した排水マスと、前記基盤体の表面の一部または全面に配設した載置部材を備え、前記載置部材の表面に前記排水マスに連通する流れ勾配を有する構成とすることにより、洗い場の構造物としての基本機能を平坦面からなる基盤体で実現し、洗い場表面の勾配による水流れや清掃性などの使い勝手の機能を載置部材で実現することが可能となるため、１種類の基盤体に対し載置部材を変更することにより、各種の設置条件や使用条件に対応した経済的で使用勝手の良い洗い場を提供することができる。
【００１０】
第２の発明は、特に、第１の発明の排水マスを基盤体の複数の位置に設置可能な構成とすることにより、排水マスは設置条件に合わせて最適な位置を選択して設置することが可能となり、排水管の位置や浴室のドアの位置などに対応した最適な排水位置を１種類の基盤体で対応することにより、基盤体の種類を減らし、生産性を高めることができる。
【００１１】
第３の発明は、特に、第１または第２の発明の載置部材を着脱自在に設置した構成とすることにより、載置部材が汚れたり、損傷を受けた場合、載置部材を基盤体より取り外して、清掃したり補修または交換を容易に行うことができるので、洗い場を清潔に保ち、初期の性能を長期間に亘り維持することができる。
【００１２】
第４の発明は、特に、第１〜３のいずれか１つの発明の載置部材を複数に分割した構成にすることにより、載置部材の寸法を小さくできるため、生産、加工、取り扱いが容易になり、またデザインの異なる複数の載置部材の組合せも可能となるため、デザイン性の高い浴室用洗い場を安価に提供することが可能となる。
【００１３】
第５の発明は、特に、第４の発明の載置部材の分割した平面形状が、排水マスの平面形状と略同形状とすることにより、排水マスと載置部材が寸法的に互換性を備えるため、排水マスを使用者の好む位置に設定することができるとともに、それに合わせて載置部材を設置することにより、任意の排水勾配の設定を使用者の好みに合わせて実現することができる。
【００１４】
第６の発明は、特に、第１〜５のいずれか１つの発明の基盤体の内部、基盤体の裏面、載置部材の内部、載置部材の裏面、基盤体と載置部材の間のいずれかに加熱手段を設けることにより、洗い場表面を効率よく加熱することができるため、浴室の暖房や乾燥に活用することができる。
【００１５】
以下、本発明の実施の形態について、図面を参照しながら説明する。なお、この実施の形態によって本発明が限定されるものではない。
【００１６】
（実施の形態１）
図１に本発明の第１の実施の形態における浴室用洗い場の平面図を示し、図２は図１に表示したＡＡ断面図である。
【００１７】
図１および図２において、基盤体５は、シートモールドコンパウンド（ＳＭＣ）材料を高温高圧でプレス成形することにより得ることができる。基盤体５は、中央部において適時裏面に補強リブ６などを施し洗い場中央部に使用者が使用しても撓まないよう十分な強度のあるものになっている。さらに、基盤体５は、浴室ユニットの壁やドアなどが基盤体５の上に設置できるように基盤体外周部は十分な強度のあるものになっている。
【００１８】
ＳＭＣプレス成形法の他に、不飽和ポリエステル樹脂からなる繊維強化プラスチックを用いたハンドレイアップ法からなる成形、ジシクロペンタジエンを用いたＲＩＭ成形、不飽和ポリエステル樹脂を注入することによるＲＴＭ成形、熱可塑性樹脂による射出成形によっても同様に基盤体を得ることができる。
【００１９】
基盤体５は、排水勾配を設けずにフラットに構成し、中央部の浴槽側には洗い場で使用した水を集合して屋外に排水する排水マス７が設置されており、基盤体５の表面にはほぼ全面に載置部材８が配置されている。
【００２０】
載置部材８は、樹脂成形品で構成され、熱可塑性樹脂の射出成形などによって生産することができる。載置部材８の厚みを任意に変化させることにより使用者が使う浴室の洗い場の流れ勾配を任意に設定することができる。そして、図の矢印Ｂで示すように、排水マス７に向かって排水勾配を設け、使用者が洗い場で使用した水は排水マス７へ集めて排水することができる。さらに、載置部材８の表面には、洗い場表面の必需機能である滑り止めのノンスリップパターンの凹凸が形成されている。
【００２１】
載置部材８と基盤体５は、載置部材に凸部を設け基盤体に凹部を儲け嵌め合い構造によって固定することもできるし、さらに接着によって強固に固定することもできる。
【００２２】
上記の構成とることにより、従来１つの部材で構成していた洗い場が２つの部材に分かれて構成されるが、基盤体は構造面のみを重視したなシンプルな設計でよく、簡便に設計できコスト的にも安く生産できる。
【００２３】
一方、載置部材は洗い場表面の滑り止めや、排水性能や、使い勝手等を配慮したきめ細かい設計を集中して行うことができ、しかも熱可塑性樹脂などで成形することにより安価なものを提供することが可能である。
【００２４】
さらに、洗い場全体の交換やメンテナンスにおいても、従来は浴室全体を分解して洗い場を交換するなどの方法しかなかったが、本実施の形態においては、載置部材のみを取り替えることにより、洗い場をリフォームすることが可能になる。
【００２５】
（実施の形態２）
図３（ａ）、（ｂ）は本発明の第２の形態における洗い場の平面図を示し、図４は要部を示す断面図である。
【００２６】
図３の（ａ）、（ｂ）における基盤体９は同一ものであり、表面には排水勾配を設けずフラットな形状である。そして、図３（ａ）、（ｂ）に示すように浴室の扉１０より一番遠い角部に排水マス１１を設置してあるが、これらの排水マス１１は図４に示すように、基盤体９の角部近傍に後加工で丸穴１２をあけ、別途熱可塑性樹脂で成形した排水マス１１を丸穴１２に挿入し接着固定したものである。
【００２７】
従来、このような対称形の洗い場を製造する場合は、２つの金型が必要であり大きな初期投資になったが、本実施の形態の構成にすると基盤体９の金型は１つで良く、後加工で排水マス１１を設置する丸穴１２をあけることにより、設置条件、使用条件にあわせて使用者の使い勝手の良いように洗い場を構成することができる。
【００２８】
さらに、基盤体９の上に載置部材１３、１４を設置し、図３（ａ）、（ｂ）の矢印Ｃ、矢印Ｄに示すような水の流れになるように排水勾配を設定することにより、使用者が使った洗い場の水を排水マス１１へ集合し排水することができる。
【００２９】
上記の構成で洗い場を設計すると、構造体からなる基盤体は、排水勾配を設けない平坦な形状にし、さらに排水マスを設置する丸穴も後加工であけるので、基盤体は設計上容易に作成することができ、しかも丸穴の加工は浴室の設置現場で加工することも可能である。
【００３０】
さらに、基盤体の上面に載置した載置部材に適宜排水マスに向けた排水勾配を設けるようにすることにより、洗い場表面の水流れ勾配や洗い場表面の滑り止めパターンなどは載置部材の設計の際に配慮すれば良いので設計的な効率化を図ることができる。
【００３１】
なお、本実施の形態においては排水マスの設置位置として浴室の扉から一番遠い角部としたが、対応する載置部材を準備することにより、それ以外の角部や中間位置にも設置することが可能である。
【００３２】
（実施の形態３）
図５は本発明の第３の実施の形態における浴室用洗い場の平面図を示し、図６は図５に表示したＥＥ断面図を示すものである。
【００３３】
図５および図６に示すように、載置部材１５は複数に分割した構成であり、略同形状の部材を基盤体９のほぼ全面に多数設置しており、図５に示すように個々の載置部材１５は厚さが異なり、表面に傾斜を備えることにより、全体を配置した状態で排水マス１１に連通する排水勾配を形成している。
【００３４】
なお、実施の形態２と同一符号のものは、同一構造とし説明は省略する。
【００３５】
以上のように、本実施の形態では載置部材を複数に分割することにより、個々の載置部材が小型になるため、生産時、メンテナンス時の取り扱いが容易になるとともに、載置部材の表面形状や色柄の異なるものを組み合わせることにより、デザイン性の高い洗い場を提供することが可能となる。
【００３６】
また、浴室の洗い場の大きさな１種類ではなく、例えば１２００ｍｍ×８００ｍｍ、１６００ｍｍ×８００ｍｍ、１６００ｍｍ×１０００ｍｍ等の異なったサイズのものが同じ製品シリーズのなかにあり、これらの異なったサイズの洗い場に対して載置部材は同一のもので対応することが可能となるため、生産性、コストの面での効果が大きい。
【００３７】
また、本実の形態の別の構成として、図８に示すように、排水マス１１と載置部材１６の区画を同じ大きさとすることにより、排水マス１１と載置部材１６の入れかえが容易にできることとなり、設置場所の条件や、使用者の好みにより排水マスを任意の位置に配設するこが可能である。
【００３８】
（実施の形態４）
図７は本発明の第４の実施の形態における浴室用洗い場の断面図を示すものである。
【００３９】
図に示すように、載置部材１７の裏面に加熱手段としてヒータ線１８をウレタン系反応性ホットメルトを用いて貼り、さらに、発泡ウレタンや発泡スチロールからなる断熱手段１９を基盤体５の裏面に配置してある。
【００４０】
なお、実施の形態１と同一符号のものは、同一構造とし説明は省略する。
【００４１】
上記構成のシータ線に通電することにより、ヒータ線が加熱され、載置部材が暖められるので洗い場表面が暖められることになる。さらに、基盤体の裏面に断熱手段を設け、載置部材の裏面に加熱手段を設けてあるので洗い場表面から近く洗い場表面への発熱効率を上げることができる。
【００４２】
また、加熱手段の修理の場合も、載置部材１７とヒータ線１８の修理または交換だけで良くメンテナンス性についても従来の全てを分解して洗い場を交換する場合と比べ格段優れている。
【００４３】
また、加熱手段の別法として、載置部材の中あるいは裏面に水路を設けお湯を流すことにより、載置部材を加熱することもできる。
【産業上の利用可能性】
【００４４】
以上のように、本発明にかかる浴室用洗い場は、浴室ユニットの床構造の設計思想を提供するもので、洗面ユニット、トイレユニットなどの水回りにおける床構造体等の用途にも適用できる。
【図面の簡単な説明】
【００４５】
【図１】本発明の実施の形態１における浴室用洗い場の平面図
【図２】本発明の実施の形態１における浴室用洗い場のＡＡ断面図
【図３】（ａ）本発明の実施の形態２における浴室用洗い場の平面図（ｂ）本発明の実施の形態２における浴室用洗い場の別の形状の平面図
【図４】本発明の実施の形態２における浴室用洗い場の要部断面図
【図５】本発明の実施の形態３における浴室用洗い場の平面図
【図６】本発明の実施の形態３における浴室用洗い場のＥＥ断面図
【図７】本発明の実施の形態３における浴室用洗い場の別の形状の平面図
【図８】本発明の実施の形態４における浴室用洗い場断面図
【図９】（ａ）従来の浴室用洗い場の防水パンの斜視図（ｂ）従来の浴室用洗い場の嵩上げパンの斜視図、（ｃ）従来の浴室用洗い場の断面図
【符号の説明】
【００４６】
５、９  基盤体
７、１１  排水マス
８、１３、１４、１５、１６、１７  載置部材
１８  ヒータ線（加熱手段）
【図１】
2006009337.tif 000003
【図２】
2006009337.tif 000004
【図３】
2006009337.tif 000005
【図４】
2006009337.tif 000006
【図５】
2006009337.tif 000007
【図６】
2006009337.tif 000008
【図７】
2006009337.tif 000009
【図８】
2006009337.tif 000010
【図９】
2006009337.tif 000011